(57)【要約】【課題】  従来、ボールを本格的に打つ前に、ゴルフクラブのヘッドの打球面に付着した泥や芝生又は水滴等はタオルやゴルフの手袋又は手で拭き取っているのが現状である。【解決手段】  長方形の柔軟な素材からなる基材１の一方の面１ａのほぼ中央の対向する辺の近傍に、基材１と同様の柔軟な素材からなる長方形の把手部材２の両端をそれぞれ固着し、又、基材１の他方の面１ｂのほぼ全面にマジックテープ３を固着し、非吸水性材からなる掃除部材４の一方の面に、マジックテープ３に着脱される着脱部材５を固着し、掃除部材４がマジックテープ３に着脱されるように構成する。【選択図】図１
2007130382.tif 000002
【特許請求の範囲】
【請求項１】
少なくとも１本又は複数本の指が入るように、把手部材の両端が対向辺に固着された柔軟な素材からなる基材と、前記把手部材が固着されている面の反対面に固着されたマジックテープ（登録商標）と、該マジックテープ（登録商標）に着脱自在に装着された非吸水性材からなる掃除部材とからなり、マジックテープ（登録商標）が着脱される部材をゴルフの手袋、リストバンド、シャツの腕、ズボン又は帽子に固着して、着脱できるようにすることを特徴とするクラブ掃除器。
【請求項２】
前記基材の前記マジックテープ（登録商標）の一部を除去して、前記掃除部材を固着することを特徴とするクラブ掃除器。
【発明の詳細な説明】
【技術分野】
【０００１】
本発明は、クラブに付着した芝生や泥又は砂等を除去するようにしたクラブ掃除器に関するものである。
【背景技術】
【０００２】
一般に、ゴルフのプレイ中に、ゴルフボールを打つ前に、素振りをする場合があるが、その時にゴルフクラブのヘッドの打球面に泥や芝生又は水滴等が付着するので、ボールを本格的に打つ前に、ゴルフクラブのヘッドの打球面に付着した泥や芝生又は水滴等はタオルやゴルフの手袋又は手で拭き取っているのが現状であり、簡単にゴルフクラブのヘッドの打球面に付着した泥や芝生又は水滴等取り除く掃除器がないというのが現状である。
【０００３】
従って、本格的にゴルフボールを打つ前に素振りをする毎にタオルをバックから外し、タオルでクラブのヘッドを拭くことは、プレイの進行の妨げとなるため、止む終えずゴルフの手袋や手で拭いてしまうが、これは、手袋や手が濡れたり、汚れたりするため、ゴルフボールを打つ時にクラブの握りが滑り易くなり、プレイの妨げとなるという問題がある。
【発明の開示】
【発明が解決しようとする課題】
【０００４】
解決しようとする問題点は、従来、ボールを本格的に打つ前に、ゴルフクラブのヘッドの打球面に付着した泥や芝生又は水滴等はタオルやゴルフの手袋又は手で拭き取っているのが現状である。
【課題を解決するための手段】
【０００５】
本発明では、柔軟な素材からなる基材は少なくとも１本又は複数本の指が入るように、把手部材の両端が対向辺に固着され、マジックテープ（登録商標）は把手部材が固着されている面の反対面に固着され、掃除部材はマジックテープ（登録商標）に着脱自在に装着された非吸水性材からなり、マジックテープ（登録商標）が着脱される部材をゴルフの手袋、リストバンド、シャツの腕、ズボン又は帽子に固着して、着脱できるようにするものである。
【発明の効果】
【０００６】
本発明のクラブ掃除器では、基材の把手部材に１本又は複数本の指を入れて、引っ張ると、手袋、シャツの腕、ズボン又は帽子から簡単に取り外すことができるので、基材の把手部材の他方の面に固着された非吸水性材の掃除部材でクラブの打球面を拭くことにより、簡単に打球面に付着した泥や芝生又は水滴等を除去して払うことができるので、泥や芝生又は水滴等を除去したクラブ掃除器は手袋、シャツの腕、ズボン又は帽子にすぐに戻すことができ、次のプレイに移行することができるという利点がある。
【発明を実施するための最良の形態】
【０００７】
本発明では、クラブ掃除器を柔軟な部材からなる基材と、基材に取り付けた把手部材と、非吸水性材及びマジックテープ（登録商標）により簡単に構成することができた。
【実施例】
【０００８】
図１は本発明の実施例のクラブ掃除器の斜視図、図２は図１のクラブ掃除器の側面図で、長方形の柔軟な素材からなる基材１の一方の面１ａのほぼ中央の対向する辺の近傍に、基材１と同様の柔軟な素材からなる長方形の把手部材２の両端をそれぞれ固着し、又、基材１の他方の面１ｂのほぼ全面にマジックテープ（登録商標）３を固着し、非吸水性材からなる掃除部材４の一方の面に、マジックテープ３に着脱される着脱部材５を固着し、掃除部材４がマジックテープ３に着脱されるように構成する。
【０００９】
このように構成された本実施例のクラブ掃除器は、マジックテープ３が着脱される部材をゴルフの手袋、リストバンド、シャツの腕、ズボン又は帽子に固着され、基材１の把手部材２に１本又は複数本の指を入れて、引っ張ると、ゴルフの手袋、リストバンド、シャツの腕、ズボン又は帽子から簡単に取り外すことができるので、基材１の把手部材２が固着されている一方の面１ａの反対の他方の面１ｂに固着されたマジックテープ３に装着されている非吸水性材の掃除部材４でクラブの打球面を拭くことにより、簡単に打球面に付着した泥や芝生又は水滴等を除去して払うことができるので、泥や芝生又は水滴等を除去したクラブ掃除器はゴルフの手袋、リストバンド、シャツの腕、ズボン又は帽子にすぐに戻すことができ、次のプレイに移行することができ、さらに、本発明のクラブ掃除器は手袋に装着する程度の大きさのものであるので、掃除部材４が汚れた場合は、掃除部材４のみを剥がして使い捨てにすることにより、簡単に掃除部材４を取り替えることができる。
【００１０】
図３ハ、本発明のたの実施例のクラブ掃除器の斜視図で、１は基材、２は把手部材、３はマジックテープ、４は掃除部材で、これらの構成は上記実施例と同じであるので、説明は省略するが、本実施例では、掃除部材４に着脱部材５を固着せず、又、基材１のマジックテープ３の一部を除去し、この基材１のマジックテープ３を除去した部分に掃除部材４を固着する。
【００１１】
このように構成することにより、掃除部材４が汚れた場合は、クラブ掃除器を廃棄して、クラブ掃除器全体を使い捨てにする。
【産業上の利用可能性】
【００１２】
なお、上記実施例において、アイアンクラブでショットをした時に、泥がアイアンクラブのフェースの溝に入り、泥が落ち難くなるので、掃除部材３の中央部分をやや固めの素材で構成してもよい。
【図面の簡単な説明】
【００１３】
【図１】本発明の実施例のクラブ掃除器の斜視図である。
【図２】本発明のクラブ掃除器の側面図である。
【図３】本発明の他の実施例のクラブ掃除器の斜視図である。
【符号の説明】
【００１４】
１                基材
２                把手部材
３                掃除部材
４                マジックテープ
【図１】
2007130382.tif 000003
【図２】
2007130382.tif 000004
【図３】
2007130382.tif 000005
【手続補正書】
【提出日】平成18年3月7日(2006.3.7)
【手続補正１】
【補正対象書類名】明細書
【補正対象項目名】全文
【補正方法】変更
【補正の内容】
【発明の詳細な説明】
【技術分野】
【０００１】
本発明は、クラブに付着した芝生や泥又は砂等を除去するようにしたクラブ掃除器に関するものである。
【背景技術】
【０００２】
一般に、ゴルフのプレイ中に、ゴルフボールを打つ前に、素振りをする場合があるが、その時にゴルフクラブのヘッドの打球面に泥や芝生又は水滴等が付着するので、ボールを本格的に打つ前に、ゴルフクラブのヘッドの打球面に付着した泥や芝生又は水滴等はタオルやゴルフの手袋又は手で拭き取っているのが現状であり、簡単にゴルフクラブのヘッドの打球面に付着した泥や芝生又は水滴等取り除く掃除器がないというのが現状である。
【０００３】
従って、本格的にゴルフボールを打つ前に素振りをする毎にタオルをバックから外し、タオルでクラブのヘッドを拭くことは、プレイの進行の妨げとなるため、止む終えずゴルフの手袋や手で拭いてしまうが、これは、手袋や手が濡れたり、汚れたりするため、ゴルフボールを打つ時にクラブの握りが滑り易くなり、プレイの妨げとなるという問題がある。
【発明の開示】
【発明が解決しようとする課題】
【０００４】
解決しようとする問題点は、従来、ボールを本格的に打つ前に、ゴルフクラブのヘッドの打球面に付着した泥や芝生又は水滴等はタオルやゴルフの手袋又は手で拭き取っているのが現状である。
【課題を解決するための手段】
【０００５】
本発明では、柔軟な素材からなる基材は少なくとも１本又は複数本の指が入るように、把手部材の両端が対向辺に固着され、マジックテープ（登録商標）は把手部材が固着されている面の反対面に固着され、掃除部材はマジックテープ（登録商標）に着脱自在に装着された非吸水性材からなり、マジックテープ（登録商標）が着脱される部材をゴルフの手袋、リストバンド、シャツの腕、ズボン又は帽子に固着して、着脱できるようにするものである。
【発明の効果】
【０００６】
本発明のクラブ掃除器では、基材の把手部材に１本又は複数本の指を入れて、引っ張ると、手袋、シャツの腕、ズボン又は帽子から簡単に取り外すことができるので、基材の把手部材の他方の面に固着された非吸水性材の掃除部材でクラブの打球面を拭くことにより、簡単に打球面に付着した泥や芝生又は水滴等を除去して払うことができるので、泥や芝生又は水滴等を除去したクラブ掃除器は手袋、シャツの腕、ズボン又は帽子にすぐに戻すことができ、次のプレイに移行することができるという利点がある。
【発明を実施するための最良の形態】
【０００７】
本発明では、クラブ掃除器を柔軟な部材からなる基材と、基材に取り付けた把手部材と、非吸水性材及びマジックテープ（登録商標）により簡単に構成することができた。
【実施例】
【０００８】
図１は本発明の実施例のクラブ掃除器の斜視図、図２は図１のクラブ掃除器の側面図で、長方形の柔軟な素材からなる基材１の一方の面１ａのほぼ中央の対向する辺の近傍に、基材１と同様の柔軟な素材からなる長方形の把手部材２の両端をそれぞれ固着し、又、基材１の他方の面１ｂのほぼ全面にマジックテープ（登録商標）３を固着し、非吸水性材からなる掃除部材４の一方の面に、マジックテープ（登録商標）３に着脱される着脱部材５を固着し、掃除部材４がマジックテープ（登録商標）３に着脱されるように構成する。
【０００９】
このように構成された本実施例のクラブ掃除器は、マジックテープ（登録商標）３が着脱される部材をゴルフの手袋、リストバンド、シャツの腕、ズボン又は帽子に固着され、基材１の把手部材２に１本又は複数本の指を入れて、引っ張ると、ゴルフの手袋、リストバンド、シャツの腕、ズボン又は帽子から簡単に取り外すことができるので、基材１の把手部材２が固着されている一方の面１ａの反対の他方の面１ｂに固着されたマジックテープ（登録商標）３に装着されている非吸水性材の掃除部材４でクラブの打球面を拭くことにより、簡単に打球面に付着した泥や芝生又は水滴等を除去して払うことができるので、泥や芝生又は水滴等を除去したクラブ掃除器はゴルフの手袋、リストバンド、シャツの腕、ズボン又は帽子にすぐに戻すことができ、次のプレイに移行することができ、さらに、本発明のクラブ掃除器は手袋に装着する程度の大きさのものであるので、掃除部材４が汚れた場合は、掃除部材４のみを剥がして使い捨てにすることにより、簡単に掃除部材４を取り替えることができる。
【００１０】
図３ハ、本発明のたの実施例のクラブ掃除器の斜視図で、１は基材、２は把手部材、３はマジックテープ（登録商標）、４は掃除部材で、これらの構成は上記実施例と同じであるので、説明は省略するが、本実施例では、掃除部材４に着脱部材５を固着せず、又、基材１のマジックテープ（登録商標）３の一部を除去し、この基材１のマジックテープ（登録商標）３を除去した部分に掃除部材４を固着する。
【００１１】
このように構成することにより、掃除部材４が汚れた場合は、クラブ掃除器を廃棄して、クラブ掃除器全体を使い捨てにする。
【産業上の利用可能性】
【００１２】
なお、上記実施例において、アイアンクラブでショットをした時に、泥がアイアンクラブのフェースの溝に入り、泥が落ち難くなるので、掃除部材３の中央部分をやや固めの素材で構成してもよし、又、クラブばかりでなく、ゴルフボールを拭いてもよい。
【図面の簡単な説明】
【００１３】
【図１】本発明の実施例のクラブ掃除器の斜視図である。
【図２】本発明のクラブ掃除器の側面図である。
【図３】本発明の他の実施例のクラブ掃除器の斜視図である。
【符号の説明】
【００１４】
１                基材
２                把手部材
３                マジックテープ（登録商標）
４                掃除部材